(57)【要約】【課題】  経年変化のほとんどない石材のみによって形成された浸水防止装置を、かろうど室の開口部に配設し、雨水などがかろうど室内に侵入するのを長期間に亘って確実に防止して、かろうど室に埋葬された骨壺内の遺骨が濡れたり、汚れたりすることなく完全な状態で安置できるようにする。【解決手段】  それぞれ石材によって形成された枠体２７と蓋体２９とからなる浸水防止装置１３をかろうど室１１の開口部２１に配設する。枠体２７は、中央に形成された貫通穴３５の全周に亘り貫通穴３５の縁部に沿って該縁部の上面よりも高い突堤３２が連続して形成されている。蓋体２９は、裏面２９ａに突堤３２の外周と同じ大きさを有し且つ突堤３２の高さと同じ深さを有する凹部２９ｂが形成されている。そして蓋体２９の凹部２９ｂが枠体２７の突堤３２に嵌合するように蓋体２９を枠体２７に載置した構成を特徴とする。【選択図】        図６
2006207358.tif 000002
【特許請求の範囲】
【請求項１】
中央に形成された貫通穴の全周にわたり前記貫通穴の縁部に沿って該縁部の上面よりも高くなるように連続した突堤を石材自体に形成してなる石材製の枠体と、前記枠体の前記突堤の外周と同じ大きさを有し且つ前記突堤の高さと同じ深さを有する凹部が裏面に設けられ石材によって形成された蓋体とを備え、前記蓋体の前記凹部が前記枠体の前記突堤に嵌合するように前記蓋体を前記枠体に載置してなることを特徴とする墓地用かろうどの浸水防止装置。
【請求項２】
一辺に向かうに従って次第に高くなる直線状の突堤が前記一辺に沿って形成された石材製の矩形板状部材を４個、中央に矩形貫通穴が形成され且つ前記矩形貫通穴の縁部に前記突堤が連続して配置されて矩形枠状突堤を形成するように額縁状に組み合わされて形成された枠体と、前記枠体の前記矩形枠状突堤の外周と同じ大きさを有し且つ前記矩形枠状突堤の高さと同じ深さを有する凹部が裏面に設けられ石材によって形成された蓋体とを備え、前記蓋体の前記凹部が前記枠体の前記矩形枠状突堤に嵌合するように前記蓋体を前記枠体に載置してなることを特徴とする墓地用かろうどの浸水防止装置。
【請求項３】
額縁状に組み合わされた前記矩形板状部材の接合部は、接合材料が充填されて水密に接合されたことを特徴とする請求項２に記載の墓地用かろうどの浸水防止装置。
【請求項４】
地表面に開口する開口部を有し、地中に骨壷収容部が形成されたかろうど室を備え、
前記開口部に請求項１から請求項３のいずれかに記載の前記浸水防止装置が配設されたことを特徴とする墓地用かろうど。
【発明の詳細な説明】
【技術分野】
【０００１】  本発明は、墓地用かろうど及びその浸水防止装置に係り、特にかろうどの出入口を、石材自体に形成した突堤により、完全かつ容易に密閉して長年月にわたって該出入口からの雨水等の浸水を防止してかろうど室内に埋葬された骨壺内の遺骨が濡れたり、汚れたりすることなく完全な状態で安置できるようにした墓地用かろうど及びその浸水防止装置に関する。
【背景技術】
【０００２】  従来の地下埋葬式の墓地は、地中に鉄筋コンクリートで覆った箱を形成し、該鉄筋コンクリート製の箱の上に同じく鉄筋コンクリートで製作された蓋を載せて構成されたかろうど上に墓石が配置されていた。そして、かろうどの開口部から遺骨が収納された骨壺をかろうど内に埋葬した後、蓋を載せて開口部を塞ぎ、箱との間にモルタルセメントによる目地を施して浸水、盗難及びいたずらを防止するようになっている。【０００３】  蓋は、新しい遺骨を納骨するときでないと開けることはなく、また密閉状態の点検もほとんど行われることはないのが現状であり、数年間乃至数十年間はそのままとされるため、径年変化によってモルタルセメントに亀裂が入ることが多く、該亀裂から地下水や雨水がかろうど内に侵入する場合があり、極端には骨壺の中にまで水が入って死者の尊厳を傷付けるおそれがあった。【０００４】  地下水や雨水がかろうど内へ浸入するのを防止するため、本出願人は、箱の出入口に耐水性及び弾性を有する浸水防止枠を配設すると共に、蓋に閉鎖枠を設け、蓋を箱に載せたとき閉鎖枠が浸水防止枠に当接して隙間を密閉するようにした墓地用かろうどを提案している（例えば、特許文献１参照。）。
【特許文献１】    特許第３４６５１２２号公報（該公報の第３−４頁、同図２参照）
【０００５】  特許文献１に開示されている墓地用かろうどは、地中に配置された鉄筋コンクリート製の箱の出入口にウレタン樹脂や耐水ゴムなどの耐水性及び弾性を有する素材で製作された浸水防止枠を接着して固定している。また蓋の裏面には、ステンレス鋼、アルミニウム合金、ウレタン樹脂または加硫ゴムなどの素材で製作された閉鎖枠が配設されている。そして蓋を箱の出入口に載せたとき、閉鎖枠が浸水防止枠に当接して隙間を密閉するようになっている。【０００６】  しかし、閉鎖枠及び浸水防止枠は、高い密封性能を持つようにウレタン樹脂や耐水ゴムなどのように弾性を有する材料で製作されており、更に箱や蓋に接着された構成となっているので、数十年単位の長い期間で考えると閉鎖枠や浸水防止枠の材料、或いは接着剤が劣化する場合があり、密封性能を維持できなくなるおそれがあった。また数年後、或いは数十年後、納骨するために蓋を開閉する際、ウレタン樹脂や耐水ゴムなどのように比較的柔らかい材料で製作されている閉鎖枠や浸水防止枠に石材製の蓋などが干渉し、閉鎖枠や浸水防止枠に損傷を与えて密封性能を劣化させる可能性があり、改善の余地があった。更に、閉鎖枠や浸水防止枠は、箱や蓋と別部品として製作して箱や蓋に接着、固定する必要があり、墓地用かろうどの構成部品点数が増加し、取扱い上好ましくない等の点で改良の余地があった。
【発明の開示】
【発明が解決しようとする課題】
【０００７】  本発明は、上記した従来技術の欠点を除くためになされたものであって、その目的とするところは、墓地用かろうどの浸水防止装置を、浸水防止用の突堤を石材自体に形成した石材製の枠体と、石材製の蓋体とから構成することにより、枠体及び蓋体の経年変化をなくして枠体と蓋体との間の隙間の発生を確実に防止できるようにすることであり、またこれによって突堤の機械的強度を強くして、蓋体の開閉時に多少他部品と干渉しても損傷を受けることなく、長期間にわたって良好な浸水防止性能を維持できるようにすることである。【０００８】  また他の目的は、枠体の中央に形成された貫通穴の全周にわたり貫通穴の縁部に沿って該縁部の上面よりも高い突堤を連続して形成し、且つ蓋体の裏面に突堤の外周と同じ大きさを有し且つ突堤の高さと同じ深さを有する凹部を形成し、蓋体の凹部が枠体の突堤に嵌合するように蓋体を枠体に載置することにより、たとえ雨水が蓋体と枠体の間の隙間に侵入しても、雨水が突堤を乗り越えることを防止して雨水などの浸水を確実に防止することである。【０００９】  更に他の目的は、一辺に向かうに従って次第に高くなる直線状の突堤が一辺に沿って形成された石材製の４個の矩形板状部材を額縁状に組み合わせ、中央に形成された矩形貫通穴の縁部に突堤が連続して矩形枠状突堤を形成するように配置して枠体を形成することにより、比較的小さな石材の組合せによって、大きな枠体を容易且つ安価に製作できるようにすることであり、またこれによって夫々の部材の形状を矩形板状として容易に加工できるようにすることである。【００１０】  また他の目的は、額縁状に組み合わされた矩形板状部材の接合部に、接合材料を充填して水密に接合することにより、接合部からの浸水を確実に防止することである。【００１１】  更に他の目的は、地表面に開口する開口部を有すると共に地中に骨壷収容部が形成されたかろうど室の開口部に請求項１から請求項３のいずれかに記載の浸水防止装置を配設することにより、開口部からのかろうど内への浸水を確実に防止して長年月にわたってかろうど内を良好な状態に維持できるようにすることであり、またこれによって骨壺の中には浸水することなく安心して遺骨を埋葬しておくことができ、また骨が水を吸って変質したりすることがなく死者の尊厳を守ることができるようにすることである。
【課題を解決するための手段】
【００１２】  要するに、本発明の墓地用かろうどの浸水防止装置（請求項１）は、中央に形成された貫通穴の全周にわたり前記貫通穴の縁部に沿って該縁部の上面よりも高くなるように連続した突堤を石材自体に形成してなる石材製の枠体と、前記枠体の前記突堤の外周と同じ大きさを有し且つ前記突堤の高さと同じ深さを有する凹部が裏面に設けられ石材によって形成された蓋体とを備え、前記蓋体の前記凹部が前記枠体の前記突堤に嵌合するように前記蓋体を前記枠体に載置してなることを特徴とするものである。【００１３】  また本発明の墓地用かろうどの浸水防止装置（請求項２）は、一辺に向かうに従って次第に高くなる直線状の突堤が前記一辺に沿って形成された石材製の矩形板状部材を４個、中央に矩形貫通穴が形成され且つ前記矩形貫通穴の縁部に前記突堤が連続して配置されて矩形枠状突堤を形成するように額縁状に組み合わされて形成された枠体と、前記枠体の前記矩形枠状突堤の外周と同じ大きさを有し且つ前記矩形枠状突堤の高さと同じ深さを有する凹部が裏面に設けられ石材によって形成された蓋体とを備え、前記蓋体の前記凹部が前記枠体の前記矩形枠状突堤に嵌合するように前記蓋体を前記枠体に載置してなることを特徴とするものである。【００１４】  また、本発明の墓地用かろうどの浸水防止装置（請求項３）は、請求項２に記載の墓地用かろうどの浸水防止装置において、額縁状に組み合わされた前記矩形板状部材の接合部は、接合材料が充填されて水密に接合されたことを特徴とするものである。【００１５】  また本発明の墓地用かろうど（請求項４）は、地表面に開口する開口部を有し、地中に骨壷収容室が形成されたかろうど室を備え、前記開口部に請求項１から請求項３のいずれかに記載の前記浸水防止装置が配設されたことを特徴とするものである。
【発明の効果】
【００１６】  本発明は、上記のように、墓地用かろうどの浸水防止装置を、浸水防止用の突堤を石材自体に形成した石材製の枠体と、石材製の蓋体とから構成したので、枠体及び蓋体の経年変化をなくして枠体と蓋体との間の隙間の発生を確実に防止できるという効果があり、またこれによって突堤の機械的強度を強くして、蓋体の開閉時に多少他部品と干渉しても損傷を受けることなく、長期間にわたって良好な浸水防止性能を維持できるという効果がある。【００１７】  また枠体の中央に形成された貫通穴の全周にわたり貫通穴の縁部に沿って該縁部の上面よりも高い突堤を連続して形成し、且つ蓋体の裏面に突堤の外周と同じ大きさを有し且つ突堤の高さと同じ深さを有する凹部を形成し、蓋体の凹部が枠体の突堤に嵌合するように蓋体を枠体に載置したので、たとえ雨水が蓋体と枠体の間の隙間に侵入しても、雨水が突堤を乗り越えることを防止して雨水などの浸水を確実に防止することができる効果が得られる。【００１８】  更には、一辺に向かうに従って次第に高くなる直線状の突堤が一辺に沿って形成された石材製の４個の矩形板状部材を額縁状に組み合わせ、中央に形成された矩形貫通穴の縁部に突堤が連続して矩形枠状突堤を形成するように配置して枠体を形成したので、比較的小さな石材の組合せによって、大きな枠体を容易且つ安価に製作できるという効果があり、またこの結果夫々の部材の形状を矩形板状として容易に加工できるという効果が得られる。【００１９】  また額縁状に組み合わされた矩形板状部材の接合部に、接合材料を充填して水密に接合したので、接合部からの浸水を確実に防止することができる効果がある。【００２０】  更には、地表面に開口する開口部を有すると共に地中に骨壷収容部が形成されたかろうど室の開口部に請求項１から請求項３のいずれかに記載の浸水防止装置を配設したので、開口部からのかろうど内への浸水を確実に防止して長年月にわたってかろうど内を良好な状態に維持できるという効果があり、またこの結果骨壺の中には浸水することなく安心して遺骨を埋葬しておくことができ、また骨が水を吸って変質したりすることがなく死者の尊厳を守ることができるという優れた効果が得られる。
【発明を実施するための最良の形態】
【００２１】  以下本発明を図面に示す実施例に基づいて説明する。図１から図４において、本発明に係る墓地用かろうど１００は、かろうど室１１と、浸水防止装置１３とを備えている。
まず地下埋葬式の墓地１５の構造について説明すると、地下を掘り下げて鉄筋コンクリート製のかろうど室１１を製作する。かろうど室１１は、内部に骨壷収納部１９である空間が設けられた略直方体に形成されており、地面１７の高さと面一とされたかろうど室１１の天面１１ａは、その一部（図１において前方部分）が切りかかれて開口部２１が地表面に開口している。開口部２１は、後に詳述する浸水防止装置１３が配設されて塞がれており、また開口部２１の後方の天面１１ａ上には花崗石（みかげ石）等で製作された墓石２３が配置されている。【００２２】  かろうど室１１は、骨壺２５を納骨するためのものであって、図２から図４において、地面１７を１２０ｃｍ程度掘り下げて製作された厚さ９ｃｍの鉄筋コンクリート製の壁を有する略直方体の室であり、天面１１ａは地面１７の高さと同じ高さに設定されている。かろうど室１１内の骨壷収納部１９には、棚１１ｃが設けられており、複数の骨壺２５を該棚１１ｃ上に安置して納骨できるようになっている。【００２３】  浸水防止装置１３は、開口部２１を塞ぎ、開口部２１からの雨水などの浸水やいたずら、盗難などを防止するためのものであって、それぞれ厚さ９ｃｍ程度の大理石板などの石材によって形成された枠体２７と蓋体２９とから構成されている。枠体２７は、図６において、縦長の長方形に形成された矩形板状部材３１と、略直方形に形成された矩形板状部材３３との２種類の矩形板状部材３１、３３をそれぞれ一対ずつ、合計４個の矩形板状部材３１、３３が中央に矩形貫通穴３５が形成されるように額縁状に組み合わされて形成されている。矩形板状部材３１、３３は、いずれも大理石板などの石材によって形成されている。なお、４個の矩形板状部材３１、３３が額縁状に組み合わされて形成される枠体２７の矩形貫通穴３５の大きさは、かろうど室１１の開口部２１と同じ大きさである。【００２４】  矩形板状部材３１の上面３１ａには、一辺の縁部３１ｂに沿って断面略３角形の直線状の突堤３１ｃが形成されている。また矩形板状部材３３の上面３３ａにも、同様に一辺の縁部３３ｂに沿って断面略三角形の直線状の突堤３３ｃが形成されている。そして４個の矩形板状部材３１、３３は、突堤３１ｃ、３３ｃが設けられた側の縁部３１ｂ、３３ｂをそれぞれ、かろうど室１１の開口部２１の縁１１ｄに合わせながら、天面１１ａ上に配置されている。これにより、４個の矩形板状部材３１、３３が額縁状に組み合わされて、中央に矩形貫通穴３５が形成され、且つ矩形貫通穴３５の縁部には外方から矩形貫通穴３５に向かうに従って次第に高くなる突堤３１ｃ、３３ｃが連続するように配置されている。即ち、組み合わされた突堤３１ｃ、３３ｃによって、矩形枠状突堤３２が形成される。なお突堤３１ｃ、３３ｃの形状は、断面略三角形に限定されるものではなく、矩形板状部材３１、３３の上面３１ａ、３３ａより高い形状のものであればどのような形状であってもよく、例えば、上面３１ａ、３３ａから上方に突出する矩形断面の突堤であってもよい。【００２５】  図７及び図８において、４個の矩形板状部材３１、３３のそれぞれの接合部には、接合材料３７が充填されて水密に接合されている。また、枠体２７（���ち、組み合わされた４個の矩形板状部材３１、３３）の外側には、コンクリート３９が流し込まれて組み合わされた４個の矩形板状部材３１、３３が移動しないように固定されるようになっている。【００２６】  図６において、蓋体２９は、厚さ９ｃｍ程度の大理石板などの石材により矩形板状に形成された部材であり、裏面２９ａに凹部２９ｂが形成されている。凹部２９ｂの大きさは、矩形貫通穴３５の縁部に形成された矩形枠状突堤３２の外周と同じ大きさであり、且つその深さは、矩形枠状突堤３２の高さと同じ深さとなっている。これにより、蓋体２９を枠体２７に載置したとき、矩形枠状突堤３２と凹部２９ｂとが嵌合するように構成されている。【００２７】  本発明は、上記のように構成されており、以下その作用について説明する。図１及び図２において、納骨に際しては蓋体２９が取り外されて開放された開口部２１から骨壺２５を棚１１ｃ上に安置して納骨した後、矩形枠状突堤３２に凹部２９ｂを嵌合させながら蓋体２９を枠体２７に載置して開口部２１を蓋体２９で閉鎖する。更に、蓋体２９の全周にモルタルセメンによる目地を施して完全に密閉する。【００２８】  上記した墓地用かろうど１００は、地下部は厚さ９ｃｍの鉄筋コンクリートで隙間なく囲まれ、唯一の開口部２１は、図９から図１１において、枠体２７が配設されており、その貫通穴３５の縁部には、外方から貫通穴３５に向かうに従って次第に高くなる突堤３１ｃ、３３ｃが縁部の全周にわたって矩形額縁状に配置されて矩形枠状突堤３２が形成されており、しかも矩形枠状突堤３２には、蓋体２９の凹部２９ｂが嵌合して閉鎖されているので、激しい雨４１が降っても雨水４１などがかろうど室１１内に浸水することはない。また、万一蓋体２９と枠体２７との間に雨水４１などが滲み込んでも矩形枠状突堤３２に阻止されてかろうど室１１内に浸水することはない。これにより、極めて長期間にわたって浸水を防止して遺骨を保護し、確実に安置することができる。
【図面の簡単な説明】
【００２９】
【図１】  図面は本発明の実施例に係り、図１は蓋体を外した状態の本発明墓地用かろうどを備えた墓地の斜視図である。
【図２】  墓地用かろうどの斜視図である。
【図３】  図２におけるＩＩＩ−ＩＩＩ矢視縦断面図である。
【図４】  図２におけるＩＶ−ＩＶ矢視縦断面図である。
【図５】  図４における円Ｖで囲まれた部分の拡大縦断面図である。
【図６】  枠体及び蓋体の分解斜視図である。
【図７】  矩形板状部材の接合部を示す縦断面図である。
【図８】  図７における円ＶＩＩＩで囲まれた部分の拡大縦断面図である。
【図９】  図６におけるＩＸ−ＩＸ矢視縦断面図である。
【図１０】  図６におけるＸ−Ｘ矢視縦断面図である。
【図１１】  雨水の侵入が防止される状態を示す要部縦断面図である。
【符号の説明】
【００３０】１００          墓地用かろうど
１１            かろうど室
１３            浸水防止装置
１７            地面
１９            骨壷収容室
２１            開口部
２７            枠体
２９            蓋体
２９ａ          裏面
２９ｂ          凹部
３１，３３      矩形板状部材
３１ａ，３３ａ  上面
３１ｂ，３３ｂ  一辺
３１ｃ，３３ｃ  突堤
３２            矩形枠状突堤
３５            貫通穴（矩形貫通穴）
３７            接合材料
【図１】
2006207358.tif 000003
【図２】
2006207358.tif 000004
【図３】
2006207358.tif 000005
【図４】
2006207358.tif 000006
【図５】
2006207358.tif 000007
【図６】
2006207358.tif 000008
【図７】
2006207358.tif 000009
【図８】
2006207358.tif 000010
【図９】
2006207358.tif 000011
【図１０】
2006207358.tif 000012
【図１１】
2006207358.tif 000013